(57)【要約】【課題】  薄型化が可能であり、且つ、境界部が目立たないバックライト装置及び表示装置を提供する。【解決手段】  第一の導光手段３１は、第一の側端面３１ｂを有する。第一の照明手段２１は、第一の導光手段３１に第一の照明光を発する。第二の導光手段３２は、第一の側端面３１ｂに対向する第二の側端面３２ｂを有する。第二の照明手段２２は、第二の導光手段３２に第二の照明光を発する。境界面隠蔽手段４１，４２は、第一の側端面３１ｂ及び第二の側端面３２ｂを覆う。【選択図】  図１
2011243389.tif 000002
【特許請求の範囲】
【請求項１】
第一の側端面を有する第一の導光手段と、前記第一の導光手段に第一の照明光を発する第一の照明手段と、前記第一の側端面に対向する第二の側端面を有する第二の導光手段と、前記第二の導光手段に第二の照明光を発する第二の照明手段と、前記第一の側端面及び前記第二の側端面を覆う境界面隠蔽手段と、を備えたことを特徴とするバックライト装置。
【請求項２】
前記境界面隠蔽手段は、前記第一の側端面及び前記第二の側端面に平行な溝部を有するプリズムシートからなることを特徴とする請求項１に記載のバックライト装置。
【請求項３】
前記境界面隠蔽手段は、前記第一の導光手段及び前記第二の導光手段の前側に配置された拡散部材からなることを特徴とする請求項１に記載のバックライト装置。
【請求項４】
前記第一の照明手段は、第一の色の前記第一の照明光を発する第一の発光素子と、第二の色の前記第一の照明光を発する第二の発光素子と、を有し、
前記第二の照明手段は、前記第一の色の前記第二の照明光を発する第三の発光素子と、前記第二の色の前記第二の照明光を発する第四の発光素子と、を有することを特徴とする請求項１に記載のバックライト装置。
【請求項５】
第一の表示領域及び第二の表示領域を有する表示手段と、第一の照明光を発する第一の照明手段と、第二の照明光を発する第二の照明手段と、前記第一の照明光を前記第一の表示領域に導いて前記第一の表示領域を透過照明する第一の導光手段と、前記第二の照明光を前記第二の表示領域に導いて前記第二の表示領域を透過照明する第二の導光手段と、を備えた表示装置であって、
前記第一の導光手段は第一の側端面を有し、前記第二の導光手段は前記第一の側端面に対向する第二の側端面を有すると共に、前記第一の側端面及び前記第二の側端面を覆う境界面隠蔽手段を更に備えたことを特徴とする表示装置。
【請求項６】
前記境界面隠蔽手段は、前記第一の側端面及び前記第二の側端面に平行な溝部を有するプリズムシートからなることを特徴とする請求項５に記載の表示装置。
【請求項７】
前記境界面隠蔽手段は、前記第一の導光手段及び前記第二の導光手段の前側に配置された拡散部材からなることを特徴とする請求項５に記載の表示装置。
【請求項８】
前記第一の照明手段は、第一の色の前記第一の照明光を発する第一の発光素子と、第二の色の前記第一の照明光を発する第二の発光素子と、を有し、
前記第二の照明手段は、前記第一の色の前記第二の照明光を発する第三の発光素子と、前記第二の色の前記第二の照明光を発する第四の発光素子と、を有することを特徴とする請求項５に記載の表示装置。
【発明の詳細な説明】
【技術分野】
【０００１】
本発明は、発光ダイオード等の光源にて表示手段を透過照明するバックライト装置及び表示装置に関するものである。
【背景技術】
【０００２】
従来より、液晶表示パネル等の表示手段を備えた表示装置が種々提案されており、例えば特許文献１に開示されている。斯かる表示装置は、複数の表示領域を有する表示手段と、この表示手段を透過照明する光源とを備え、この光源が発する光を導いて表示領域を透過照明させる導光手段を表示領域ごとに備え、隣接する表示領域を照明させる導光手段において、表示手段側に導光手段を配設し、導光手段において表示領域の境界の背後から全表示領域の背後まで延出し、且つ、エッジ発光させる端部を含む角部が全表示領域内の背後で形成されないように設けられている。
【０００３】
しかし、導光手段が２枚上下に積み重なった状態で配置されるため、厚さ方向で大型化し、薄型の表示装置には適用できないという問題を有していた。そこで、本願出願人は、側端面が対向するように、第一の導光手段と第二の導光手段とを並設することにより、薄型化が可能なバックライト装置及び表示装置を提案している（特願２０１０−９６６０１）。
【先行技術文献】
【特許文献】
【０００４】
【特許文献１】特開２００８−２６８５４号公報
【発明の概要】
【発明が解決しようとする課題】
【０００５】
しかしながら、上記バックライト装置及び表示装置は、第一の導光手段と第二の導光手段との境界部が視認されて、表示品位が低下するため、更なる改良の余地を有していた。本発明は、薄型化が可能であり、且つ、境界部が目立たないバックライト装置及び表示装置を提供するものである。
【課題を解決するための手段】
【０００６】
本発明は、第一の側端面を有する第一の導光手段と、前記第一の導光手段に第一の照明光を発する第一の照明手段と、前記第一の側端面に対向する第二の側端面を有する第二の導光手段と、前記第二の導光手段に第二の照明光を発する第二の照明手段と、前記第一の側端面及び前記第二の側端面を覆う境界面隠蔽手段と、を備えたものである。
【０００７】
また、本発明は、前記境界面隠蔽手段は、前記第一の側端面及び前記第二の側端面に平行な溝部を有するプリズムシートからなるものである。
【０００８】
また、本発明は、前記境界面隠蔽手段は、前記第一の導光手段及び前記第二の導光手段の前側に配置された拡散部材からなるものである。
【０００９】
また、本発明は、前記第一の照明手段は、第一の色の前記第一の照明光を発する第一の発光素子と、第二の色の前記第一の照明光を発する第二の発光素子と、を有し、前記第二の照明手段は、前記第一の色の前記第二の照明光を発する第三の発光素子と、前記第二の色の前記第二の照明光を発する第四の発光素子と、を有するものである。
【００１０】
また、本発明は、第一の表示領域及び第二の表示領域を有する表示手段と、第一の照明光を発する第一の照明手段と、第二の照明光を発する第二の照明手段と、前記第一の照明光を前記第一の表示領域に導いて前記第一の表示領域を透過照明する第一の導光手段と、前記第二の照明光を前記第二の表示領域に導いて前記第二の表示領域を透過照明する第二の導光手段と、を備えた表示装置であって、
前記第一の導光手段は第一の側端面を有し、前記第二の導光手段は前記第一の側端面に対向する第二の側端面を有すると共に、前記第一の側端面及び前記第二の側端面を覆う境界面隠蔽手段を更に備えたものである。
【００１１】
また、本発明は、前記境界面隠蔽手段は、前記第一の側端面及び前記第二の側端面に平行な溝部を有するプリズムシートからなるものである。
【００１２】
また、本発明は、前記境界面隠蔽手段は、前記第一の導光手段及び前記第二の導光手段の前側に配置された拡散部材からなるものである。
【００１３】
また、本発明は、前記第一の照明手段は、第一の色の前記第一の照明光を発する第一の発光素子と、第二の色の前記第一の照明光を発する第二の発光素子と、を有し、前記第二の照明手段は、前記第一の色の前記第二の照明光を発する第三の発光素子と、前記第二の色の前記第二の照明光を発する第四の発光素子と、を有するものである。
【発明の効果】
【００１４】
側端面が対向するように第一の導光手段と第二の導光手段とを並設するため、バックライト装置及び表示装置の薄型化が可能になり、且つ、境界面隠蔽手段を設けたことにより、第一の導光手段と第二の導光手段と境界部が目立たない。
【図面の簡単な説明】
【００１５】
【図１】本発明の実施形態を示す分解斜視図。
【図２】同上実施形態を示すバックライト装置の正面図。
【図３】同上実施形態を示す断面図。
【図４】同上実施形態を示す断面図。
【図５】同上実施形態を示す液晶表示パネルの正面図。
【図６】同上実施形態を示す液晶表示パネルの正面図。
【発明を実施するための形態】
【００１６】
以下、添付図面に基づいて、本発明の一実施形態を説明する。バックライト装置Ａは、回路基板１０，発光素子群（第一の照明手段）２１，発光素子群（第二の照明手段）２２，導光部材（第一の導光手段）３１，導光部材（第二の導光手段）３２，拡散部材４１（境界面隠蔽手段），プリズムシート４２（境界面隠蔽手段），ケース体５０を備えている。表示装置Ｂは、バックライト装置Ａ及び液晶表示パネル（表示手段）６０からなるものである。
【００１７】
発光素子群２１は、白色の照明光を発する複数の発光ダイオード（第一の発光素子）２１ａと、赤色の照明光を発する複数の発光ダイオード（第二の発光素子）２１ｂとで構成され、回路基板１０に実装されている。
発光素子群２２は、白色の照明光を発する複数の発光ダイオード（第三の発光素子）２２ａと、赤色の照明光を発する複数の発光ダイオード（第四の発光素子）２２ｂとで構成され、回路基板１０に実装されている。
発光素子群２１及び発光素子群２２は列状に配置され、白色の発光ダイオード２１ａ，２２ａと赤色の発光ダイオード２１ｂ，２２ｂとは交互に配置されている。
【００１８】
導光部材３１は、アクリル等の透光性樹脂からなり、液晶表示パネル６０の第一の表示領域６１の下に配置される。導光部材３１は、発光素子群２１が発した照明光を液晶表示パネル６０の第一の表示領域６１に導いて、第一の表示領域６１を透過照明する。
導光部材３２は、アクリル等の透光性樹脂からなり、液晶表示パネル６０の第二の表示領域６２の下に配置される。導光部材３２は、発光素子群２２が発した照明光を液晶表示パネル６０の第二の表示領域６２に導いて、第二の表示領域６２を透過照明する。
導光部材３１，３２の側端面３１ｂ，３２ｂは滑らかな平面であり、導光部材３１，３２は、側端面３１ｂ，３２ｂが接触した状態でケース体５０に配設される。
【００１９】
拡散部材４１は、ポリカーボネート（ＰＣ）からなるシート部材に印刷を施したものや、表面にアクリルのビーズなどをちりばめたものからなるものである。拡散部材４１は、導光部材３１，３２の上に配設され、導光部材３１，３２から照射される照明光を拡散させて輝度を均一化する。プリズムシート４２は、導光部材３１，３２の側端面３１ｂ，３２ｂに平行な溝部４２ａを有するものであり、拡散部材４１の上に配設される。
ケース体５０は、樹脂からなるものであり、回路基板１０，発光素子群２１，２２，導光部材３１，３２，拡散部材４１及びプリズムシート４２が収納される。
【００２０】
発光素子群２１，２２から発せられて、導光部材３１，３２に入射した照明光は、導光部材３１，３２の側端面３１ｂ，３２ｂに対し、臨界角θｃ以上の角度になるように導光される。臨界角θｃはスネルの法則により決定され、発光素子群２１，２２を並べる方向と導光部材３１，３２の側端面３１ｂ，３２ｂとのなす角度θａが９０°のとき、式１によって決定される。なお、ｎ１は空気層の屈折率、ｎ２は導光部材３１，３２の屈折率である。導光部材３１，３２がアクリルからなる場合、ｎ２は１．４９であり、臨界角θｃは約４２．２°になる。
［式１］    Ｃ＝ｓｉｎ−１（ｎ１／ｎ２×ｓｉｎ９０°）
【００２１】
バックライト装置Ａは種々の態様で液晶表示パネル６０を透過照明することができる。図５（ａ）〜（ｄ）は、液晶表示パネル６０に表示部６０ａを表示させた状態を示している。発光ダイオード２１ａと発光ダイオード２２ａとを発光させれば、液晶表示パネル６０の表示部６０ａを白色に透過照明できる（図５（ａ）参照）。また、発光ダイオード２１ｂと発光ダイオード２２ｂとを発光させれば、表示部６０ａを赤色に透過照明できる（図５（ｂ）参照）。また、発光ダイオード２１ｂと発光ダイオード２２ａとを発光させれば、表示部６０ａの右側を赤色に、左側を白色に透過照明できる（図５（ｃ）参照）。また、発光ダイオード２１ａと発光ダイオード２２ｂとを発光させれば、表示部６０ａの右側を白色に、左側を赤色に透過照明できる（図５（ｄ）参照）。
【００２２】
図６（ａ）〜（ｃ）は、液晶表示パネル６０に表示部６０ｂ，６０ｃを表示させた状態を示している。発光ダイオード２１ａと発光ダイオード２２ａとを発光させれば、表示部６０ｂ，６０ｃを白色に透過照明できる（図６（ａ）参照）。また、発光ダイオード２１ｂと発光ダイオード２２ａとを発光させれば、表示部６０ｂを赤色に、表示部６０ｃを白色に透過照明できる（図６（ｂ）参照）。また、発光ダイオード２１ａを発光させ、発光ダイオード２２ａ，２２ｂをオフさせれば、表示部６０ｂを白色に透過照明し、表示部６０ｃを透過照明しない（図６（ｃ）参照）。
【００２３】
本実施形態によれば、側端面３１ｂ，３２ｂが対向するように導光部材３１，３２を並設するため、表示装置Ｂの薄型化が可能になる。且つ、拡散部材４１及びプリズムシート４２を設けたことにより、導光部材３１，３２の境界部である側端面３１ｂ，３２ｂが目立たない。また、図６（ａ）〜（ｃ）に示すように、液晶表示パネル６０の中央付近を不透過状態にして隠蔽部とすることにより、導光部材３１，３２の境界部である側端面３１ｂ，３２ｂが目立たなくすることができる。
【００２４】
なお、本発明は本実施形態に限定されるものではなく、種々の変形が可能である。例えば、本実施形態は、拡散部材４１及びプリズムシート４２を設けたものであるが、拡散部材４１またはプリズムシート４２の一方のみを設けた構成も可能である。また、回路基板１０に実装される発光素子群２１，２２は、赤色の照明光を発する発光ダイオード２１ａ，２２ａと、白色の照明光を発する発光ダイオード２１ｂ，２２ｂというように、異なる色を発する発光ダイオードを実装しているが、同じ色の光を発する発光素子群２１，２２を回路基板１０に実装し、発光素子群２１，２２と導光部材３１，３２の間にカラーフィルタを挿入する形態としてもよい。
【００２５】
また、本実施形態では、導光部材３１，３２の側端面３１ｂ，３２ｂは、側端面３１ｂ，３２ｂが接触した状態でケース体５０に配設されているが、導光部材３１と導光部材３２の間に微小な隙間があっても良い。また、表示手段としては、導光部材３１，３２の境界部である側端面３１ｂ，３２ｂを隠蔽されるような意匠部を有する文字板を用いても良い。また、ケース体５０は樹脂のみならず、金属製のフレームも利用できる。また、本実施形態は、導光部材３１，３２を備えたものであるが、導光部材は３個以上であっても良いことは言うまでもない。
【符号の説明】
【００２６】
１０    回路基板
２１    発光素子群（第一の照明手段）
２１ａ  発光ダイオード（第一の発光素子）
２１ｂ  発光ダイオード（第二の発光素子）
２２    発光素子群（第二の照明手段）
２２ａ  発光ダイオード（第三の発光素子）
２２ｂ  発光ダイオード（第四の発光素子）
３１    導光部材（第一の導光手段）
３１ｂ  側端面
３２    導光部材（第二の導光手段）
３２ｂ  側端面
４１    拡散部材（境界面隠蔽手段）
４２    プリズムシート（境界面隠蔽手段）
５０    ケース体
６０    液晶表示パネル（表示手段）
【図１】
2011243389.tif 000003
【図２】
2011243389.tif 000004
【図３】
2011243389.tif 000005
【図４】
2011243389.tif 000006
【図５】
2011243389.tif 000007
【図６】
2011243389.tif 000008